(57)【要約】【課題】断熱性能を低下させることなく、螻羽の高さを低く形成できる屋根構造を提供すること。【解決手段】複数の垂木１２、１２に掛け渡され、当該垂木１２、１２の妻側外方に張り出した複数の螻羽垂木４３を備え、これら螻羽垂木４３を垂木１２よりも低い高さに形成するとともに、当該螻羽垂木４３が掛け渡された垂木１２、１２間であって、当該螻羽垂木４３の下方に第１断熱パネル１３Ａを延在させたことを特徴とする。【選択図】図２
2008013917.tif 000002
【特許請求の範囲】
【請求項１】
複数の垂木に掛け渡され、当該垂木の妻側外方に張り出した複数の螻羽垂木を備え、
これら螻羽垂木を前記垂木よりも低い高さに形成するとともに、当該螻羽垂木が掛け渡された前記垂木間であって、当該螻羽垂木の下方に断熱材を延在させたことを特徴とする屋根構造。
【発明の詳細な説明】
【技術分野】
【０００１】
本発明は、垂木間に断熱材が配置された屋根構造に関する。
【背景技術】
【０００２】
近年、居住性の向上や省エネルギーなどの観点から、住宅等の建物において高断熱化の要求が高まっている。このため、この種の建物における屋根では、母屋に掛け渡された垂木間に、例えば合成樹脂発泡体からなる板状の断熱パネルを配置することによって断熱性能の向上を図った屋根構造が知られている（例えば、特許文献１参照）。
【特許文献１】特開２００２−２４２３２５号公報
【発明の開示】
【発明が解決しようとする課題】
【０００３】
ところで、この種の屋根構造（例えば切妻屋根構造）では、外観上の観点から、建物の妻側の壁から突出した屋根の螻羽の高さを低く形成することが望ましい。
しかし、在来工法による屋根構造では、螻羽の出は、妻側の壁から突出させた母屋を利用して形成しているため、この螻羽の高さは、母屋、垂木、及び、この垂木の上に設けられる野地板の高さをそれぞれ加算した値とほぼ同一となり、螻羽の高さを低く形成することが難しかった。これを解消するために、垂木の高さを最小限まで低くすることにより、螻羽の高さを低くすることが考えられるが、この構成では、垂木の高さを低くすることに伴い、断熱材の厚さも薄くなるため、断熱性能が低下するといった問題が生じる。
そこで、本発明の目的は、断熱性能を低下させることなく、螻羽の高さを低く形成できる屋根構造を提供することを目的とする。
【課題を解決するための手段】
【０００４】
上記課題を解決するため、本発明は、複数の垂木に掛け渡され、当該垂木の妻側外方に張り出した複数の螻羽垂木を備え、これら螻羽垂木を前記垂木よりも低い高さに形成するとともに、当該螻羽垂木が掛け渡された前記垂木間であって、当該螻羽垂木の下方に断熱材を延在させたことを特徴とする。
この構成によれば、垂木に掛け渡して当該垂木の外側に張り出した螻羽垂木を利用して螻羽の出を形成しているため、従来のように、母屋を建物の壁面から外側に張り出させて螻羽の出を形成する必要がなくなる。このため、従来のものに比べて、螻羽の高さを低く抑えることができ、屋根の美観の向上を図ることができる。
また、この構成によれば、螻羽垂木は、垂木よりも低い高さに形成されるとともに、この螻羽垂木が掛け渡されている垂木間であって、当該螻羽垂木の下方に断熱材を延在させているため、この断熱材が螻羽垂木によって分断されることはない。従って、螻羽垂木と断熱パネルとの間の気密性を高く保持できるため、屋根の断熱性能が低下することが防止される。
【発明の効果】
【０００５】
本発明によれば、断熱性能を低下させることなく、螻羽の高さを低く形成できる。
【発明を実施するための最良の形態】
【０００６】
以下、添付図面を参照して、本発明の一実施形態について説明する。
図１は、本実施形態にかかる切妻屋根の屋根構造を示す斜視図であり、図２は、この屋根構造のＸ−Ｘ断面図である。なお、図１では、後述する断熱材等の部材を一部省略して記載している。
この屋根構造では、図１に示すように、軒桁１０、母屋１１及び棟木（不図示）に複数本の垂木１２がそれぞれ略平行に掛け渡され、これら垂木１２、１２間には、図２に示すように、断熱パネル１３（後述する断熱パネル１３Ａ、１３Ｂを含む）が嵌め込まれて配置されている。この断熱パネル１３の上面には透湿防水シート（不図示）が貼着されており、この透湿防水シートの端部同士は垂木１２の上部にて重ね合わされている。また、垂木１２の上部には、それぞれ透湿防水シートを挟んで通気垂木１４が配置される。これら通気垂木１４の上部には野地板１５は固定され、この野地板１５の上部には、図示を省略したが、防水シートを介して瓦等の屋根部材が配置されている。
【０００７】
本構成では、図２に示すように、通気垂木１４の上部に野地板１５を固定することにより、この野地板１５と断熱パネル１３との間に、通気垂木１４の高さに相当する通気層１６が形成される。この通気層１６は、不図示の通気口を通じて屋外空間と連通しており、常時、外気による換気がなされている。この構成によれば、冬期に断熱パネル１３の下方（室内空間）の暖められた空気が、万一断熱パネル１３と垂木１２との隙間を通じて当該断熱パネル１３の上方側に侵入した場合であっても、この空気を通気層１６を介して外に排気することによって当該断熱パネル１３の上方側における結露が防止され、断熱性能の低下や木材の腐朽を防ぐことができる。また、夏期においては通気層１６内に外気が流されることにより、日射によって断熱パネル１３が熱せられにくくなるため、防暑効果を高めることができる。
【０００８】
母屋１１には、図２に示すように、予め垂木１２が配置される位置に当該垂木１２の下端部１２Ａが嵌め込まれる溝部１１Ａが形成されている。母屋１１に垂木１２を配置する場合、この溝部１１Ａを予め形成しておくことにより、従来のように、現場にて母屋に墨出しをしてその位置に垂木を配置・固定するといった一連の作業が必要なくなる。これによれば、母屋１１の溝部１１Ａに垂木１２を嵌め込むだけで、この垂木１２が母屋１１の所定位置に配置されるため、当該垂木１２の固定作業が容易になる。
また、母屋１１に溝部１１Ａを予め形成しておくことにより、この母屋１１に配置された垂木１２、１２間の距離Ｌを略一定に保つことができる。このため、本構成では、垂木１２、１２間に配置される断熱パネル１３は、垂木間距離Ｌに対応する幅に形成されている。この構成によれば、従来のように、母屋への墨出し作業に伴って垂木間距離に誤差が生じることがないため、この誤差に応じて断熱パネルの幅を現場にて調整する必要がなくなるとともに、当該誤差による垂木と断熱パネルとの間の気密性の低下を防止できる。
【０００９】
断熱パネル１３は、高い断熱性を有するとともに、強度的に優れ、吸湿性が小さいものが望ましい。このため、本構成では、独立気泡の発泡プラスチック製の板材が用いられている。この発泡プラスチックは水を通しにくい素材であり、長期使用に亘っても型くずれしにくいため、高い断熱性を長く保つことができる。
また、通気垂木１４は、上述のように、断熱パネル１３の上部に通気層１６を形成するために、垂木１２に連ねて配置されるものである。この通気垂木１４は、図２に示すように、垂木１２よりも幅広に形成され、この垂木１２の側面よりも僅か（本構成では約２．５ｍｍ）に突出して配置されている。この構成では、通気垂木１４の突出部分において、この通気垂木１４の下面と断熱パネル１３の上面とが当接することにより、この断熱パネル１３が通気垂木１４の下面よりも常時低い位置に延在する。これによれば、断熱パネル１３の位置が上方にずれて通気層１６を閉塞するといった不具合が防止される。また、野地板１５は、ＯＳＢ（オリエンテッド・ストランド・ボード）、もしくは構造用合板等からなる矩形の板材であり、所定の枚数を組み合わせて、屋根全体を覆うように敷設されている。
【００１０】
ところで、本実施形態にかかる屋根は切妻屋根であり、この切妻屋根は、図１に示すように、当該切妻屋根の妻側の端部（螻羽）４０が建物の壁面４１から外側に張り出すように形成された螻羽の出４２を有する。この螻羽の出４２は、妻側に配置された垂木１２の外側に所定間隔で張り出した複数本の螻羽垂木４３を備え、これら螻羽垂木４３は、複数本（本構成では２本）の上記垂木１２、１２に掛け渡されることによって支持されている。これら螻羽垂木４３の先端には、図３に示すように、垂木１２に略平行に配置された縦枠材４４が固定され、この縦枠材４４は、垂木１２の先端に配置された横枠材４５に固定される。これにより垂木１２と螻羽垂木４３とを囲う枠体が形成される。また、螻羽の出４２は、図２に示すように、螻羽垂木４３の下方に配置される螻羽天井仕上材４６と、この螻羽垂木４３の先端に縦枠材４４を介して配置される破風板４７とを備える。
【００１１】
螻羽垂木４３は、図３に示すように、この螻羽垂木４３の高さＨ１が垂木１２の高さＨ２よりも低く設定され、これら螻羽垂木４３と垂木１２とが上面を略一致させるように配置されている。具体的には、最も妻側に配置された垂木１２には、螻羽垂木４３が嵌合する溝５０が形成されており、この溝５０は螻羽垂木４３の高さＨ１及び幅Ｔと略同一の寸法に設定されている。本構成では、螻羽垂木４３を上記垂木１２の溝５０に嵌め込み、これら螻羽垂木４３と垂木１２とを釘等の締結手段によって固定している。この構成では、垂木１２に掛け渡して当該垂木１２の外側に張り出した螻羽垂木４３を利用して螻羽の出４２を形成しているため、従来のように、母屋を建物の壁面から外側に張り出させて螻羽の出を形成する必要がなくなる。このため、従来のものに比べて、螻羽４０の高さを低く抑えることができ、屋根の美観の向上を図ることができる。
【００１２】
また、螻羽垂木４３は、上述のように、垂木１２よりも低い高さに設定されているため、この螻羽垂木４３が掛け渡されている垂木１２、１２間には、図３に示すように、当該螻羽垂木４３の下方に空間Ｓが形成されている。本構成では、この空間Ｓに第１断熱パネル（断熱材）１３Ａが配置され、この第１断熱パネル１３Ａに重ねて螻羽垂木４３、４３間に第２断熱パネル１３Ｂが配置されている。
第１断熱パネル１３Ａは、図４に示すように、螻羽垂木４３の間隔よりも長く設定されており、この第１断熱パネル１３Ａの前端部１３Ａ１に表合いじゃくり加工が施されるとともに、後端部１３Ａ２に当該表合いじゃくりに嵌め合わせられる裏合いじゃくり加工が施されている。このように、前後に隣接する第１断熱パネル１３Ａは合いじゃくりによって嵌め合わされて連結されるため、これら第１断熱パネル１３Ａの連結部分における気密性を確保することができる。
一方、第２断熱パネル１３Ｂは、一対の垂木１２、１２及び一対の螻羽垂木４３、４３にて囲まれた領域に嵌合する大きさに形成されており、この領域に嵌め込むだけで第２断熱パネル１３Ｂを簡単に配置することができる。この第２断熱パネル１３Ｂを配置した場合、この第２断熱パネルの上面が、垂木１２の上面と略同一となるように当該第２断熱パネル１３Ｂの厚さが設定されている。すなわち、第１断熱パネル１３Ａと第２断熱パネル１３Ｂとの厚さの総和を、断熱パネル１３の厚さと略同一（図２参照）にしているため、螻羽垂木４３が掛け渡されている垂木１２、１２間における断熱性能が他の垂木間の断熱性能に比べて損なわれることがない。
【００１３】
本構成では、螻羽垂木４３が掛け渡されている垂木１２、１２間であって、この螻羽垂木４３の下方に、当該螻羽垂木４３、４３の間隔よりも長く設定された第１断熱パネル１３Ｂを配置しているため、上記垂木１２、１２間に配置される断熱パネルが螻羽垂木４３によって小さく分断されることはない。この構成によれば、断熱パネルが螻羽垂木によって分断される構成のものに比べて、これら螻羽垂木と断熱パネルとの間の気密性を高く保持できる。更に、螻羽垂木と断熱パネルとの隙間に発泡ウレタン等のシール材を充填したり、この隙間にテープを貼着したりして、当該隙間を塞ぐ処理が不要となるため、高所での作業が軽減され、容易に屋根を組み付けることができる。また、本構成では、螻羽垂木４３の下方に第１断熱パネル１３Ａが配置されるため、この螻羽垂木４３が熱橋（ヒートブリッジ）となって、熱移動が生じることが防止される。
【００１４】
次に、垂木１２の構成について説明する。図５は、垂木１２の構成を示す分解図である。この垂木１２は、図５に示すように、木材で形成された垂木本体２１と、この垂木本体２１の下端部２１Ａに、当該垂木本体２１の長手方向に亘って取り付けられる気密部材３１とを備える。この気密部材３１は、垂木１２、１２間に断熱パネル１３（第１断熱パネル１３Ａを含む）を配置した際に、この垂木１２と断熱パネル１３との間の気密性を確保するためのものである。
垂木本体２１は、この垂木本体２１の下端部２１Ａに上記気密部材３１が嵌合される嵌合部２２を備える。この嵌合部２２の上部には、気密部材３１の後述する気密片が収容される収容溝２３が形成され、この収容溝２３の上部には、当該収容溝２３に連なる釘溝２４が形成されている。この釘溝２４は、垂木１２を母屋１１に固定する際に、この釘溝２４から矢印Ｚ方向に釘又はビスを打ち込むための溝である。また、嵌合部２２は垂木本体２１と略同一幅に形成され、この嵌合部２２と収容溝２３との間には段部２５が形成され、この段部２５に気密部材３１の後述するベース部の爪部が引っ掛かるようになっている。
【００１５】
一方、気密部材３１は、垂木本体２１の嵌合部２２に嵌合されるベース部３２と、このベース部３２に取り付けられる気密片３３とを備えて構成されている。ベース部３２は、垂木本体２１に対して強度を持たせるため、例えば硬質塩化ビニル樹脂のような硬質樹脂により、その断面が上記嵌合部２２の形状に合わせて凹形状に形成されている。また、このベース部３２の上端部には、それぞれ内方に屈曲した爪部３２Ａが形成され、この爪部３２Ａが上記段部２５に引っかかることにより、ベース部３２が垂木本体２１の嵌合部２２に嵌合されることとなる。
このように、本構成では、垂木本体２１に気密部材３１を嵌合させることによって、これら垂木本体２１と気密部材３１との連結を行っているため、例えば、ねじ等の締結具を用いることなく、簡単に当該垂木本体２１及び気密部材３１を連結して垂木１２を作成することができる。更に、気密部材３１のベース部３２は、硬質樹脂で作成されているため、一度、垂木本体２１と気密部材３１とを連結すると、これら垂木本体２１及び気密部材３１を一体的に取り扱うことができるため、例えば、垂木１２を母屋１１に配置する作業を容易に行うことができる。
【００１６】
また、気密片３３は、図６に示すように、第１気密片（第１片体）３４と、第２気密片（第２片体）３５とを一体的に備えて形成されている。第１気密片３４は、母屋１１に設けた溝部１１Ａに垂木１２の下端部１２Ａを嵌め込んだ際に、垂木１２、１２間に位置する断熱パネル１３（１３Ａ）の下面５１（５１Ａ）に当接して、当該断熱パネル１３（１３Ａ）と垂木１２との間の気密性を確保するものである。また、第２気密片３５は、母屋１１に設けた溝部１１Ａに垂木１２の下端部１２Ａを嵌め込んだ際に、上記断熱パネル１３（１３Ａ）の側面５２（５２Ａ）に当接して、当該断熱パネル１３と垂木１２との間の気密性を確保するものである。
これら第１気密片３４及び第２気密片３５は、可撓弾性を有する軟質材料（例えば、硬質塩化ビニル樹脂）で形成されており、ベース部３２の爪部３２Ａの外側に取り付けられている。本構成では、第１気密片３４及び第２気密片３５は、垂木１２の長手方向の全長に亘って設けられ、これら第１気密片３４及び第２気密片３５と上記ベース部３２とは共押出し成形によって一体成形されている。
【００１７】
第１気密片３４は、図５に示すように、断熱パネル１３が配置されていない状態では、爪部３２Ａの外表面から斜め上方に向けて張り出している。ここで、図６に示すように、垂木１２、１２間に断熱パネル１３（１３Ａ）を配置すると、この断熱パネル１３（１３Ａ）の下面５１（５１Ａ）に押圧されることにより、第１気密片３４は矢印Ｐ方向（図５）に湾曲する。一方、この第１気密片３４は、その復元力によって元の形状に復元しようとするため、断熱パネル１３（１３Ａ）の下面５１（５１Ａ）を上方に押圧する状態になる。
本構成では、上述のように、通気垂木１４は垂木１２よりも幅広となっているため、断熱パネル１３（断熱パネル１３Ａ、１３Ｂを含む）が第１気密片３４の復元力によって上方に押圧されても、この断熱パネル１３（１３Ｂ）の上面と通気垂木１４の下面とが当接することにより、断熱パネル１３（１３Ｂ）が上方にずれることが防止される。これによれば、第１気密片３４が断熱パネル１３（１３Ａ）の下面５１（５１）Ａに密着した状態で、当該断熱パネル１３（１３Ａ、１３Ｂ）を支持するため、垂木１２と断熱パネル１３（１３Ａ）との間の気密性を高く保持することができる。この構成では、第１気密片３４が断熱パネル１３（１３Ａ）を支持する支持部材として機能する。
【００１８】
また、垂木本体２１と気密部材３１とを嵌合させた場合、第２気密片３５は垂木本体２１に形成された収容溝２３に配置される。この第２気密片３５は、図５に示すように、断熱パネル１３が配置されていない状態では、垂木本体２１の側面２１Ｂ内に納まった状態で断熱パネル１３の進入を妨げない。一方、この第２気密片３５は、断熱パネル１３（１３Ａ）の挿入後、この断熱パネル１３（１３Ａ）の下面５１（５１Ａ）が第１気密片３４を押圧することで生じる回転力によって、当該断熱パネル１３（１３Ａ）の側面５２（５２Ａ）を垂木１２、１２間の中央部に向けて押圧する状態になる。このため、第２気密片３５が断熱パネル１３（１３Ａ）の側面５２（５２Ａ）に密着することにより、垂木１２と断熱パネル１３（１３Ａ）との間の気密性を高く保持することができる。
更に、本構成では、第２気密片３５は収容溝２３内に配置されているため、この第２気密片３５が垂木１２の側面２１Ｂから大きく突出することが防止される。従って、第２気密片３５を断熱パネル１３（１３Ａ）の側面５２（５２Ａ）に当接させた状態で、この断熱パネル１３（１３Ａ）の大きさを垂木間距離Ｌと略同一の幅に設定することができる。これによれば、断熱パネル１３（１３Ａ）と垂木１２（垂木本体２１）との隙間を最小限とすることができるため、この隙間を通じて移動する熱量を抑制し、断熱性の向上を図ることができる。
【００１９】
以上説明したように、本実施形態によれば、複数の垂木１２、１２に掛け渡され、当該垂木１２の妻側外方に張り出した複数の螻羽垂木４３を備え、この螻羽垂木４３を利用して螻羽の出４２を形成することにより、螻羽４０の高さを低く抑えることができ、従って、屋根の美観の向上を図ることができる。
また、本実施形態によれば、螻羽垂木４３を垂木１２よりも低い高さに形成するとともに、当該螻羽垂木４３が掛け渡された前記垂木１２、１２間であって、当該螻羽垂木４３の下方に第１断熱パネル１３Ａを延在させたため、上記垂木１２、１２間に配置される断熱パネルが螻羽垂木４３によって小さく分断されることはない。従って、螻羽垂木４３と第１断熱パネル１３Ａとの間の気密性を高く保持できるため、屋根の断熱性能が低下することが防止される。
更に、本実施形態では、第１断熱パネル１３Ａに重ねて第２断熱パネルを配置し、この第２断熱パネル１３Ｂの上面が、垂木１２の上面と略同一となるように当該第２断熱パネル１３Ｂの厚さが設定されているため、第１断熱パネル１３Ａと第２断熱パネル１３Ｂとの厚さの総和を、断熱パネル１３の厚さと略同一とすることにより、螻羽垂木４３が掛け渡されている垂木１２、１２間における断熱性能が他の垂木間の断熱性能に比べて損なわれることが防止される。
【００２０】
また、本実施形態によれば、母屋１１に掛け渡される垂木１２の下端部１２Ａに気密片３３を備え、この気密片３３が、母屋１１に設けた溝部１１Ａに垂木１２の下端部１２Ａを嵌め込んだ際に、垂木１２、１２間に位置する断熱パネル１３（１３Ａ）の下面５１（５１Ａ）に当接する第１気密片３４と、断熱パネル１３（１３Ａ）の側面５２（５２Ａ）に当接する第２気密片３５とを一体的に備えたため、これら第１気密片３４及び第２気密片３５がそれぞれ断熱パネル１３（１３Ａ）の下面５１（５１Ａ）及び側面５２（５２Ａ）に当接することによって、垂木１２と断熱パネル１３（１３Ａ）との間の気密性を確保することができる。従って、従来のように、垂木と断熱パネルとの間の隙間を塞ぐ作業が不要となり、作業者の技量に関わらず、簡単な構成で垂木１２と断熱パネル１３（１３Ａ）との間の気密性の高い屋根を形成することができ、ひいては、冷房もしくは暖房効率が向上して省エネルギー化を図ることができる。
【００２１】
以上、本実施の形態を説明したが、本発明はこれに限定されるものではなく、種々の変更が可能である。例えば、本実施形態では、ベース部３２の材質として、硬質塩化ビニル樹脂を用いる構成としたが、これに限るものではなく、ポリプロピレン、ポリスチレン、ＡＢＳ樹脂、ポリカーボネート、ポリアミド、ポリフェニレンオキシド等を用いても良い。また、本実施形態では、気密片３３の材質として、軟質塩化ビニル樹脂を用いる構成としたが、これに限るものではなく、熱可塑性エラストマー、可塑性ポリビニルアルコール等を用いても良い。
【００２２】
また、本実施形態では、垂木１２と螻羽垂木４３との上面をあわせるために、垂木１２に螻羽垂木４３の高さＨ１と略同一の溝５０を形成した構成について説明しているが、これに限るものではなく、当該螻羽垂木４３の高さＨ１よりも高い溝を形成しても良い。この構成によれば、螻羽垂木の上面が垂木の上面よりも下方に位置するため、断熱パネル１３Ａ、１３Ｂを螻羽垂木と略同一面に配置することにより、通気垂木１４を用いなくても通気層を備える屋根構造を形成することができる。この場合、垂木に溝を形成するだけでなく、所定の位置に螻羽垂木が貫通する貫通孔を設ける構成としても良い。
【００２３】
また、本実施形態では、螻羽垂木４３を妻側に配置された２本の垂木１２、１２に掛け渡して支持する構成について説明したが、これに限るものではなく、例えば、３本の垂木１２、１２、１２に掛け渡して支持する構成としても良い。また、溝５０が形成されて最も妻側に配置される垂木の幅を厚くしたり、同一の垂木を２本重ねて配置する構成としても良い。これらの構成によれば、螻羽垂木を支持する垂木の強度を高めることができるため、螻羽の出の長さを自由に設定することができ、従って、屋根の意匠のバリエーションを増やすことにより、ユーザの嗜好に合致した屋根を提供することができる。
【図面の簡単な説明】
【００２４】
【図１】本実施形態にかかる切妻屋根の屋根構造を示す斜視図である。
【図２】この屋根構造のＸ−Ｘ断面図である。
【図３】垂木と螻羽垂木との組み付け状態を示す斜視図である。
【図４】この屋根構造のＹ−Ｙ断面図である。
【図５】垂木の構成を示す分解図である。
【図６】垂木が備える気密片の作用を説明するための図である。
【符号の説明】
【００２５】
１１  母屋
１１Ａ  溝部
１２  垂木
１２Ａ  下端部
１３  断熱パネル
１３Ａ  第１断熱パネル（断熱材）
１３Ｂ  第２断熱パネル
３１  気密部材
３３  気密片
３４  第１気密片（第１片体）
３５  第２気密片（第２片体）
４０  螻羽
４２  螻羽の出
４３  螻羽垂木
５１、５１Ａ  下面
５２、５２Ａ  側面
【図１】
2008013917.tif 000003
【図２】
2008013917.tif 000004
【図３】
2008013917.tif 000005
【図４】
2008013917.tif 000006
【図５】
2008013917.tif 000007
【図６】
2008013917.tif 000008